Podtech/llm-jp-corpus-v4-ja_patent huggingface dataset:
(57)【要約】【目的】  形状を変化させると電気抵抗が変化する検出部による押し釦スイッチの開閉動作信号を直流的な電気信号として得る為、開閉動作の認識をするマイクロコンピュータを用い無接点、小型、安価などを実現した開閉装置。【構成】  シリコンゴムに炭素粒子を分散した柔軟な抵抗変化検出材料を用い、検出部と端子部、操作部等を一体にした押し釦スイッチ部と閉時と開時の抵抗降下特性を比較する為の開閉認識線のデータを記憶したマイクロコンピュータによって構成する。【選択図】      図１
2005209597.tif 000002
【特許請求の範囲】
【請求項１】
形状を変化させると電気抵抗が変化する柔軟な抵抗変化検出材料により構成される押し釦スイッチ部と該押し釦スイッチ部によって発生する抵抗変化信号の内、時間と共に抵抗が減少する下降特性を比較、認識するマイクロコンピュータを備えたことを特徴とした開閉装置。
【請求項２】
請求項１の開閉装置であって、押し釦スイッチ部の閉動作の最大抵抗値からの抵抗降下特性と開動作の最大抵抗値からの抵抗降下特性とのほぼ中間値を基準に前記押し釦スイッチ部の開動作と閉動作を認識することを特徴とした開閉装置。
【発明の詳細な説明】
【発明の詳細な説明】
【技術分野】
【０００１】  開閉式の携帯電話機やノート型パソコン或いは自動車の開閉部分に用いる開閉状態を認識する為の検出器に関する技術である。
【背景技術】
【０００２】  従来、マイクロスイッチ等の接点型の開閉器或いは永久磁石とリードスイッチ等の磁気検知素子の組み合わせが広く利用されている。
【発明が解決しようとしている課題】
【０００３】  前述の従来技術によれば、マイクロスイッチのように比較的開放型の為、耐水性が悪く、塵埃による接点不良や接点の損耗による不良が発生する。又永久磁石とリードスイッチの組み合わせ等の場合は衝撃による破損や２個の部品に分かれる為に取り付けや小型に出来ない等の問題があった。
【課題を解決する為の手段】
【０００４】  本発明は前述の問題点を鑑みなされたものであって、形状変化によって抵抗変化を発生する検出部と端子部と出力される抵抗変化信号の抵抗降下の値を基準値と比較して判定するマイクロコンピュータによって構成される。形状変化によって抵抗変化を発生する検出部の材料はシリコンゴムにカーボン粒子を混練し、固有抵抗が２０Ω−ｃｍから２ＫΩ−ｃｍの範囲の導電性を持たせた材料で、柔軟性が高く、その形状を容易に変形することが出来るものである。形状変化によってカーボンストラクチャーが切断し、自体の電気抵抗は上昇する方向に変化する、実用的な電気信号として出力する無接点バルク型の為、小型で信頼性が高い開閉装置が構成される。
【発明を実施するための最良の形態】
【０００５】  以下本発明の実施の形態について図面に従って説明する。図１は本発明による開閉装置の押し釦検出部の原理構成断面図、図２は本発明による開閉装置の原理構成図、図３は本発明による開閉動作認識方法の説明図である。前述の抵抗変化検出材料によって図１に示す検出部１と端子部２と絶縁樹脂などで作られる操作部４との勘合部等を一体で作られる。更に端子部２に金メッキされた端子ピン３が圧入され外装部５によって保護され押し釦スイッチが出来上がる。操作部４に操作荷重６を加えた時の抵抗変化出力は図２に示した如く供給電源Ｖｃｃから固定抵抗７を介して電流を供給され電圧信号としてマイクロコンピュータ８等に入力される。図３は本発明による開閉動作認識方法の説明図である。図中の実線で示した曲線は操作部４に操作荷重６を加えて軸方向に押し下げ（閉動作とする）検出部１が変形した状態から、押し下げた力を解放し検出部１が自体の復帰力で元の状態に戻る（開動作とする）までを模式的に示した。押し釦スイッチの操作部４を軸方向に押し下げる閉動作が開始すると検出部１の変形が始まり抵抗変化が急激に起きる、変化は変形が終了するまで起き、閉動作最大抵抗値９に達する。この変形状態を一定に維持すると経過時間の内、閉動作時間１４の間は一定抵抗値でなく若干低下する閉時抵抗降下特性を示す、即ち直流的な信号の維持が出来ない。この理由は新たな電流経路を形成するカーボンストラクチャーが発生する為と考えられる。この閉時抵抗降下特性は概ねＥｅｘｐ＾（ａｔ）で表される（ａ＝−０．０３〜−０．０６Ｅ＝最大抵抗値ｔ＝経過時間）。次に押し釦スイッチの操作部４を開放し、元の状態に戻る開動作を行うと、検出部１が再度変形している間、抵抗値が上がり開時最大抵抗開値１１を示す、形状変形が元に戻り定常状態になった後は、開時抵抗降下特性１２に沿って元の抵抗値に戻る特性を示す。この開時抵抗降下特性は概ねｅｘｐ（Ｆｔ）で示され、概ね
Ｆｔ＝ａ＋ｂ［１／（Ｔ＋１）］＋ｃｔ＾２で表せる。（Ｔ＝２ｔ〜４ｔ    ａ、ｂ、ｃは形状による変形常数）
二つの抵抗降下特性は式で示した様に経過時間ｔに対して異なり、閉動作最大抵抗値９及び開時最大抵抗開値１１を示す時刻から１０秒以内で双方を区別することが出来る。即ち双方の中間的な値の開閉認識線１３を設け、開閉認識線１３上の値即ち開時抵抗降下特性１２と閉時抵抗降下特性１０のほぼ中間値より正であれば閉動作、負であれば開動作とすれば従来のスイッチの開閉動作と同じ機能とすることが出来る。押し釦スイッチに接続されるマイクロコンピュータ８にはこの開閉認識線１３を記憶させ、押し釦スイッチから出力される抵抗変化に伴う電圧データを比較、演算させればよい。
【発明の効果】
【０００６】  本発明によれば、接点機構を利用する開閉装置ではないので接点の損耗による寿命の問題や塵埃や水滴などの接触不良が無く信頼性が高い。又、リードスイッチの様に永久磁石を必要としないので周囲の磁性材料の影響が無く、且つ１個の部品で開閉機能を達成できるので小型、安価に構成できる。更には金属製のバネの場合にありがちな金属疲労によるへたりなどが発生し難く、且つ検出部は成形加工で作られる為、形状の自由度が大きく他の部品との集積化が出来る。又、検出部を構成する材料自体の柔軟性が高いので自体を衝撃吸収材の機能を備えるなど極めて優れた効果を奏する。
【図面の簡単な説明】
【０００７】
【図１】  本発明による開閉装置の押し釦検出部の原理構成断面図
【図２】  本発明による開閉装置の原理構成図
【図３】  本発明による開閉動作認識方法の説明図
【符号の説明】
【０００８】１    検出部
２    端子部
３    端子ピン
４    操作部
５    外装部
６    操作荷重
７    固定抵抗
８    マイクロコンピュータ
９    閉動作最大抵抗値
１０  閉時抵抗降下特性
１１  開時最大抵抗値
１２  開時抵抗降下特性
１３  開閉認識線
１４  閉動作時間
１５  開動作時間
【図１】
2005209597.tif 000003
【図２】
2005209597.tif 000004
【図３】
2005209597.tif 000005
(57)【要約】【課題】  本発明は、変圧器の稼動運転状態の最高温度と日時を残す機能を有する温度監視表示部付変圧器を提供する。【解決手段】  変圧器の温度監視装置において、従来の温度監視機能を電子化することにより監視温度と日時を同時に記録することができる。また、この温度監視機能は過去の最高温度と日時が記憶できる機能を有する温度監視装置とする。これらのデータを読むことにより、変圧器の温度上昇限度を越えているかのチェックができ、負荷の使用電力量を把握できる【選択図】  図１
2005209973.tif 000002
【特許請求の範囲】
【請求項１】
変圧器の稼動運転状態を監視するために設けた温度監視表示部付変圧器において、過去の最高温度と日時を残す機能を有することを特徴とする温度監視表示部付変圧器。
【請求項２】
請求項１記載の温度監視表示部付変圧器において、警報設定温度が可能でその設定温度を超えた場合に異常の警告表示を行い、その状態表示を残す機能を有することを特徴とする温度監視表示部付変圧器。
【請求項３】
請求項１記載の温度監視表示部付変圧器において、変圧器の定期点検を行うように表示する機能を有することを特徴とする温度監視表示部付変圧器。
【請求項４】
請求項１乃至３記載の温度監視表示部付変圧器において、その監視表示部の電源を変圧器本体の一部から電源回路を接続したことを特徴とする温度監視表示部付変圧器。
【発明の詳細な説明】
【技術分野】
【０００１】
本発明は、変圧器の稼動運転状態の検出手段として用いる場合の温度監視表示部付変圧器に関する。
【背景技術】
【０００２】
従来の変圧器用の温度表示装置は変圧器の油温や巻線内の周囲温度を機械的な機構を有するダイヤル温度計などを用いて測定していた。この場合には過去の最高温度が日時と同時に記録が残らないため、下記の別方法を用いて監視の管理をしている。
ダイヤル温度計とは別に測温抵抗体（Ｐｔ100Ω）を取付け、その抵抗値を温度変換器に接続し、変電設備の中央監視盤に取り込んで温度監視していた。
また、特開平５−２８３２４０号公報（特許分献１）には、油入変圧器に種々の保護装置を取付け、変圧器タンク本体に絶縁油温度を表示する油温計が取付けられて、そして油温度が規定の範囲を越えたとき動作し、警報を発生させたり変圧器を停止させたりすることが記載されている。
【０００３】
【特許文献１】特開平５−２８３２４０号公報
【発明の開示】
【発明が解決しようとする課題】
【０００４】
本発明の目的は、変圧器の稼動運転状態の最高温度と日時を残す機能を有する温度監視表示部付変圧器を提供することにある。
【課題を解決するための手段】
【０００５】
本発明は、変圧器の温度監視装置において、従来の温度監視機能を電子化することにより監視温度と日時を同時に記録することができる温度監視装置である。
【０００６】
また、本発明は、温度監視機能は過去の最高温度と日時が記憶できる機能を有し、さらに、本発明は、温度監視機能に警報設定温度を超えた場合に異常警告を表示し、その時の監視温度と日時を記憶できる機能を有する温度監視装置である。
【０００７】
また、本発明の温度監視機能に加えて、変圧器の点検時期を時計機能により表示する機能を有し、さらに、本発明の温度監視装置は変圧器側に電源回路を有するため、温度表示用の電池などを不要とする温度監視装置である。
【発明の効果】
【０００８】
本発明によれば、中央監視盤等の変電設備を有しなくとも、変圧器の稼動運転状態を温度監視し、過去の最高温度と日時を残す機能を有する温度監視装置を容易に得られる。
【発明を実施するための最良の形態】
【０００９】
以下、本発明の実施するための最良の形態について説明する。本発明の温度監視装置の実施例について、図１及び図２を用いて説明する。
図１は、実施例１の温度監視表示部の正面図である。図２は、実施例１の温度監視表示部の電源部説明図である。
【実施例１】
【００１０】
実施例１について説明する。本実施例の温度監視表示部は図１に示すように、温度切換表示部1と温度表示２と日時表示３および警告表示６、点検表示８からなり液晶画面等を用いて表示を行っている。通常稼動状態での表示は、現在の温度として、温度表示２と日時表示３のみであるが表示切換釦を押すことにより、過去の最高温度表示４に切換ると同時にその時の日時も表示し監視機能として表示することができる。
さらに、警報設定温度を設定することにより、その温度を超えた時には警告表示部６を表示する機能を表示することができる。この場合には、警告表示６を続けて残しているため、複数台ある変圧器の調査を容易にすることができる。表示ＲＥＳＥＴ釦７を押してＲＥＳＥＴする機能を有している。
また、時計機能の内蔵により点検時期をあらかじめ設定することにより、その日になると点検表示部８の表示を行う機能を有しているため点検日を確認する必要がなくなる。
【実施例２】
【００１１】
実施例２について説明する。実施例１を有する温度監視表示部９は液晶画面等を用いているためこの表示部用電源が必要となる。本実施例は図２に示すように、変圧器本体の鉄心１４の付近に電源出力部１３を設けリード線１２にて温度監視表示部９に配線することで温度計表示部用の電源を変圧器側から取得できる。電源出力部１３は、変圧器鉄心１4の磁路の一部を利用して温度計監視表示部９に必要な小容量の電源を有する装置にする。これにより温度計表示部用の電源すなわち電池などの電源を内蔵する必要がなくなる。
温度監視するための感温部１５は変圧器コイル１１から導管部１０を温度監視表示部９に接続する。
【産業上の利用可能性】
【００１２】
本発明は、変圧器の稼動運転状態の最高温度と日時を残す機能を備えているため、それらのデータを読むことにより変圧器の温度上昇限度を越えているかのチェックができ、負荷の使用電力量を把握できる。
【図面の簡単な説明】
【００１３】
【図１】実施例１の温度監視表示部の正面説明図
【図２】実施例1を有する温度監視表示部の電源部の説明図
【符号の説明】
【００１４】
１・・・温度切換表示部、２・・・温度表示、３・・・日時表示、
４・・・最高温度表示部、５・・・表示切換釦、６・・・警告表示部、
７・・・表示／ＲＥＳＥＴ釦、８・・・点検表示部、９・・・温度監視表示部
１０・・・導管部、１１・・・変圧器コイル、１２・・・リード線、
１３・・・電源出力部、１４・・・鉄心、１５・・・感温部
【図１】
2005209973.tif 000003
【図２】
2005209973.tif 000004
(57)【要約】【課題】チューインガムを複数個まとめて包装する包装紙として名刺を用いることにより、名刺と共にチューインガムを手渡すことを可能とする。【解決手段】板状または小片ブロック状のチューインガム１を複数個まとめて包装する包装紙２として、自己の住所、氏名、会社名、電話番号などを印刷した名刺を用いて包装し、図２に示すようにこの包装紙２を剥がすとそのまま名刺として使用できるように構成する。【選択図】図１
2005162276.tif 000002
【特許請求の範囲】
【請求項１】
細長板状のチューインガムの周囲を住所、氏名等を印刷した名刺代用の包装紙で包んでなることを特徴とするチューインガム包装品。
【発明の詳細な説明】
【技術分野】
【０００１】
本発明は、細長板状のチューインガムを包装紙で包装したチューインガム包装品に関するものである。
【背景技術】
【０００２】
従来、商品である細長板状のチューインガムを銀紙等の密封包装紙で包んだ上で、その周囲を包被するように各メーカー独自のデザインと商標を印刷した包装紙で包んだチューインガム包装品は知られている。
【０００３】
一方従来、自分を他人に紹介するための名刺は四角形の名刺用紙に住所、氏名等を印刷したまま単独で持ち歩き、単に一枚一枚そのまま手渡して使っているのが現状である。
【発明の開示】
【発明が解決しようとする課題】
【０００４】
解決しようとする問題点は、名刺をそのまま単純に手渡しするだけではあたりまえ過ぎて、企業の営業マン等において自分の特異性をアピールできないし、貰った他人もあまり喜ばないことが少なくない点である。
【課題を解決するための手段】
【０００５】
本発明は、サイズも価格も手ごろな細長板状のチューインガム包装品の包装紙として名刺を用いることにより、他人に名刺と共に挨拶代わりにチューインガムをさりげなく手渡すことができ、企業の営業マン等において自分の特異性をアピールでき、しかも貰った他人にも喜んでもらえるという一石二鳥の効果が期待できることを最も主要な特徴とする。
【発明の効果】
【０００６】
本発明のチューインガム包装品によれば、サイズも価格も手ごろな細長板状のチューインガムを他人に名刺と共に挨拶代わりにさりげなく手渡すことができ、企業の営業マン等において自分の特異性をアピールでき、しかも貰った他人にもチューインガムを食べてリラックス効果や口臭を消す効果などの効用をもたらす意味でも喜んでもらえるという一石二鳥の効果が期待できるという利点がある。
【発明を実施するための最良の形態】
【０００７】
企業活動等の場において自分の特異性をアピールでき、しかも貰った他人にもチューインガムを貰って喜んでもらえるという目的を、名刺をサイズも価格も手ごろなチューインガムの包装紙として利用することで実現した。
【実施例１】
【０００８】
図１に示すように、細長板状のチューインガム１を銀紙等の密封包装紙で包んだ上に、その周囲を包装する包装紙２として、自己の住所、氏名、会社名、電話番号等を印刷した比較的柔軟な名刺代用の包装紙を用いて包装し、図２に示すようにこの包装紙２を剥がすとそのまま名刺として使用できるように構成する。
【０００９】
名刺代用包装紙２としては、チューインガム１の周囲を包んで折り曲げ可能な程度に柔軟で、しかも包装して折り曲げた状態から拡げたときにあまり皺にならないような適度な硬さの用紙を用いる。
【００１０】
細長板状のチューインガム１は、在来製品のように個々に下地として銀紙等の密封包装紙で包んでおき、その周囲に巻き付けるように名刺代用包装紙２で包装する。
【００１１】
この包装紙２は、包んだ端を後に簡単に剥すことができるように軽くのり付けし、これを複数枚重ねてそれらの周囲を紙または透明なセロファン等の外装用包装紙で包装封止する。
【００１２】
使用に際しては、外装用の包装紙を剥がして各１枚毎に名刺代用包装紙２で包んだチューインガム包装品を取り出して名刺として相手に手渡す。
【００１３】
これを貰った相手は、名刺代用包装紙２を剥がして多少しわ伸ばしをした上で、名刺として受け取り、中身のチューインガム１は適宜食べるなり保存するなりする。
【００１４】
なお、費用が嵩むことを許容するならば、銀紙等の密封包装紙で包んだチューインガム１を複数枚重ねて包装する外装用包装紙として上記名刺代用の包装紙を用いてもよい。
【００１５】
このように外装用包装紙として名刺代用包装紙を用いる場合には、チューインガムとして四角形ブロック状のチューインガムを複数まとめて包装するものでもよい。
【産業上の利用可能性】
【００１６】
企業活動等において名刺に特異性を持たせて利用でき、またチューインガムメーカーにおいては商品の売上増と商品の宣伝拡充を期待できる。
【図面の簡単な説明】
【００１７】
【図１】この発明のチューインガム包装品の斜視図である。（実施例１）
【図２】この発明のチューインガム包装品の名刺代用包装紙を剥がした状態の斜視図である。
【符号の説明】
【００１８】
１    チューインガム
２    名刺代用包装紙
【図１】
2005162276.tif 000003
【図２】
2005162276.tif 000004
(57)【要約】【課題】  物品の内容が明確に示されつつ、その残存量に応じて包装箱の容積を縮小する事で、保存の為の無駄な空間をはぶく。【解決手段】  包装箱に収納された物品の残存量に応じて、包装箱の一部を切除し、折り曲げ、あるいは分離させ残存部分で蓋を形成するなどして容積を縮小する。【選択図】図１
2005162234.tif 000002
【特許請求の範囲】
【請求項１】
包装箱に収納された物品の残存量に応じて、包装箱の一部を切除、屈曲、もしくは分離し、残存部分の一部で蓋を形成して容積を縮小することを特長とする包装箱。
【発明の詳細な説明】
【技術分野】
【０００１】
本発明は物品を収納するべく包装箱の縮小に関するものである。
【背景技術】
【０００２】
主として食品が収納されていた包装箱は、その物品の残存量が少ないにもかかわらず、原形のままの包装箱に戻して収納、保存していた。又は、２種類の使用途中で残った物品の種類が異なるにもかかわらず、どちらか一方の包装箱にまとめて収納、保存していた。あるいは、包装箱を破棄して中身だけをビニール袋等に収納、保存していた。
【０００３】
この改善策として、収納物品と包装箱に同一巾毎の切取線を設け、物品の取り出しの際、包装箱は収納物品と一緒に輪切り状に切断される。しかしこの方法では切断面がむき出し状態になるので、食品の場合には不適切に思われる。
【特許文献１】実開平０３−６９６２３
【０００４】
別の改善策として、写真用フィルムの分割包装箱がある。２箇のフィルムは仕切を有する一包装箱に収納し販売される。使用時はこれを分割し１箇を取り出すが、分割後も他の１箇の商品は、ほぼ完全な包装体として次の使用時まで保存される。この方法はフィルム２本用として限定しているので、初めから包装箱に仕切が入って組み立てられている。
【特許文献２】特開平０５−１９９０２３１
【発明の開示】
【発明が解決しようとする課題】
【０００５】
様々な物品が収納されている包装箱は、種類が豊富なうえ、形がどれもよく似ているので間違いやすい場合がある。その中身の物品の残存量にかかわらず原形のままの包装箱を再使用しているので、これを食品庫や冷蔵庫で保存すると無駄な空間を占めることになる。また異なる種類のそれぞれの残りを一方の包装箱にまとめて収納、保存する場合もあるが、中身が不明のままになり忘れられてしまうことになる。
【課題を解決するための手段】
【０００６】
そこで本発明は物品の残存量に応じて、不要部分の包装容器を切除、縮小を可能にした。
【発明の効果】
【０００７】
本発明によって包装箱を縮小できれば、コストをかけずに不要部分を容易に切除でき、無駄な空間を要しないで物品の収納、保存ができる。また、もとの包装箱の表書きで収納品の内容が示されるので、忘れたり他の物と間違えたりせず、物品のイメージが明確に示される。
【０００８】
また食品の場合で例えば、密封フィルムをあけた途中の物でも、箱へ入れるとフィルムのめくれあがりを防ぐ事もできるので乾燥、香りの逸脱からも守られる。
【発明を実施するための最良の形態】
【０００９】
包装箱に収納された物品の残存量に応じて、包装箱の容積を縮小し物品内容も明確に表示、保存できる事を実現した。
【実施例１】
【００１０】
図示に基づいて詳細に説明すると、図1は一般的な包装箱内側の展開図である。
収納されていた物品の残存量が少なくなり、原形の包装容器を縮小する為に不要部分を切除するミシン目と、谷折れ線２本、差し込み口を示したものである。
【００１１】
図2は図1の立体包装箱を具体的に押しあけたもので、開封口の一片5が包装箱の蓋部分に、接着されている斜視図である。
【００１２】
図2の包装箱のミシン目に沿って切り取ったならば,不要部分が切除され図3になる。谷折れ線にそって折り曲げると図4にでき上がる。開封口の一片5は、図1で用意してある差し込み口6へ差し込んで,包装箱は縮小できる。
【実施例２】
【００１３】
また他の方法として図５を説明すると、残存量に合わせられるよう、切除するミシン目を複数本入れたものである。
【実施例３】
【００１４】
また他の方法として、包装箱の切除する部分を変え、図６で示したミシン目どうりに切り取れば図７に仕上がり、折り曲げ縮小する方法がある。
【実施例４】
【００１５】
また他の方法として、図８で示すように単純に切除し、そのまま小箱に切り替える方法がある。
【実施例５】
【００１６】
さらに他の方法は、図９で示すように包装箱を２等分し７，８とする。図１０で示す切断された箱８は、側面９をさらに切除することによって蓋になる。残存品を入れる包装箱７の上からすっぽり被うカバーになる。
【産業上の利用可能性】
【００１７】
包装箱の表書きによって物品の内容が明確に示されつつ、残存量に応じて包装箱の容積を縮小できるので，保存の為の無駄な空間を省く事ができる。例えば、食品，医薬品等に適用できる。
【図面の簡単な説明】
【００１８】
【図１】包装箱内側の切断するミシン目と谷折れ線を示した展開図である。
【図２】図１を立体で示した斜視図である。
【図３】図２のミシン目を切除した斜視図である。
【図４】図１，２，３で包装箱を縮小させた完成図である。
【図５】その他の実施例を示した斜視図である。
【図６】その他の実施例を示した斜視図である。
【図７】図６のミシン目を切除して完成させた斜視図である。
【図８】その他の実施例を示した斜視図である。
【図９】その他の実施例を示した斜視図である。
【図１０】図９のミシン目とおりに切断し、側面９を切り取った斜視図。
【符号の説明】
【００１９】
１切除するミシン目
２切除するミシン目
３谷折れ用の線
４谷折れ用の線
５開封口
６開封口５の差し込み口
７切断された左側包装箱
８切断された右側包装箱
９切断された右側包装箱の一側面を外したもの
【図１】
2005162234.tif 000003
【図２】
2005162234.tif 000004
【図３】
2005162234.tif 000005
【図４】
2005162234.tif 000006
【図５】
2005162234.tif 000007
【図６】
2005162234.tif 000008
【図７】
2005162234.tif 000009
【図８】
2005162234.tif 000010
【図９】
2005162234.tif 000011
【図１０】
2005162234.tif 000012
(57)【要約】【課題】  この発明は、段ボールに密接して収納された果実包装用容器の取り出しを容易にすることを課題とするものである。【解決手段】  果実を収納する収納凹部２と、その開口縁外側にフランジ３を有する容器において、前記フランジ部に指掛け用凹部４を形成して、この発明の果実包装用容器１を構成する。【選択図】  図１
2005162297.tif 000002
【特許請求の範囲】
【請求項１】
果実を収納する収納凹部と、その開口縁外側にフランジを有し、前記フランジ部に指掛け用凹部が形成された、果実包装用容器
【請求項２】
指掛け用凹部は対向して２個形成された、請求項１記載の果実包装用容器
【請求項３】
指掛け用凹部は、フランジの内縁側又はフランジの外縁側に形成された、請求項１又は２に記載の果実包装用容器
【発明の詳細な説明】
【技術分野】
【０００１】
この発明は、イチゴやブドウなどの果実を収納する包装用容器に関するものである。
【背景技術】
【０００２】
イチゴやブドウなどの果実は、一般に平面方形とした包装用容器に収納し、これを段ボールに詰めて出荷される。そして、段ボールには通常４つの包装用容器を並べて収納するが、輸送中に容器が段ボール内での移動を防止する必要上、包装用容器は密接して収納される。
【０００３】
小売店では、段ボール詰めされた包装用容器を取り出して陳列するが、段ボールには包装用容器が密接して収納されているので、個々の容器を指で摘むことが難しく、作業の効率化の上で改善が求められている。また、この種の包装用容器は一般に合成樹脂シートの成形品であるために、取り出す際にフランジの縁で指を傷つけるおそれもある。
【特許文献１】特開２００２−２１１５３１号
【０００４】
包装用容器に指を入れるための凹部を形成したものとして、特開２００２−２１１５３１がある。しかし、この発明は凹部に指を入れて被収容物をつかむことを目的としたものであり、容器をつかむことを目的としたものではない。
【特許文献２】特開２００２−１７９０５１号
【０００５】
この発明は、外箱に収納された内箱を容易に取り出すことを目的としたものではあるが、フラップに指掛け用の穴を形成するものであって、フラップのないシート成形容器に適用することはできない。
【発明の開示】
【発明が解決しようとする課題】
【０００６】
この発明は、段ボールに密接して収納された果実包装用容器の取り出しを容易にすることを課題とするものである。
【課題を解決するための手段】
【０００７】
この発明は、果実を収納する収納凹部と、その開口縁外側にフランジを有する容器において、前記フランジ部に指掛け用凹部を形成して果実包装用容器とするものである。
前記指掛け用凹部は対向して２個形成することが好ましい。前記指掛け用凹部は、フランジの内縁側に形成してもフランジの外縁側に形成してもよい。そして、フランジの内縁側に形成する場合、フランジから収納凹部の上部にかけて形成する場合、更に収納凹部の上部に形成する場合がある。
【発明の効果】
【０００８】
この発明によれば、指掛け用凹部に指を掛けて引き上げることにより容器を段ボールから引き出すことができる。したがって、段ボールからの取り出し作業が迅速化し、かつフランジで指を損傷するおそれもない。
【発明を実施するための最良の形態】
【０００９】
以下実施例を説明する。
【実施例１】
【００１０】
図１に示す実施例は、合成樹脂シートの成形加工の容器１であり、平面視長方形とした果実収納用の凹部２の上縁に外向きのフランジ３が設けてある。そして、前記凹部２に両短縁のフランジ３に、指掛け用凹部４が設けてある。
この指掛け用凹部４は、容器１を引き上げるときに指を挿入して係止、又は指でつまむためのものであり、その大きさは指先が挿入できる程度のものとしてある。
【００１１】
この容器１は、生産者からの出荷時には前記果実収納用凹部２に果実を収納し、図２に示すように複数の容器１を段ボール箱５に密接させて包装される。そして販売店では段ボール箱５から容器１を取り出して陳列する。
販売店において段ボール箱５から容器１を取り出すとき、作業者は前記指掛け用凹部４に指を挿入し、指の腹を凹部４の内壁に圧接させて引き上げる。指掛け用凹部４に何れの指を挿入するかは作業者の好み、指の長さなどにより適宜選択される。通常は左右の人差し指を挿入し、人差し指を縁にあててつまむ。
このように、指掛け用凹部４に指を挿入して容器１を引き上げることにより、容器を引き上げることが出きる。すなわち、フランジ３の下側に指を挿入することなく、容器を段ボール箱から引き出すことが出きる。したがって、隣接して収納される容器とフランジ３が密接していても、容器１を容易かつ迅速に段ボール箱５から取り出すことができる。
【実施例２】
【００１２】
図３は、指掛け用凹部４をフランジ３から容器１の果実収納用凹部２の側壁６に掛けて形成したものであって、フランジ３と共に側壁６の上部も指掛け用凹部４として抉られている。
この実施例においても、上記実施例１と同様に指掛け用凹部４に指を挿入係止して容器１を段ボール箱５から取り出すことができる。
【００１３】
上記実施形態では、果実収納用凹部２の端縁側に指掛け用凹部４を形成したが、凹部２の長縁側に指掛け用凹部を形成することもできる。
【実施例３】
【００１４】
図４は、指掛け用凹部４をフランジ３の外側に形成したものである。すなわち、フランジ３の外縁部を陥没させて指掛け用凹部３としてある。
この実施例においても、上記実施例１と同様に指掛け用凹部４に指を挿入し、縁をつまんで容器１を段ボール箱５から取り出すことができる。
【産業上の利用可能性】
【００１５】
この発明は、フランジ部に指掛け用凹部を形成することにより、この凹部に指を挿入係止して容器を引き上げることができる。したがって、段ボールに密接して収納された容器を、フランジの下側に指を入れることなく容易に引き出すことが可能となり、容器の段ボールからの取り出し作業が迅速化されるものであって、産業上の利用可能性を有するものである。
【図面の簡単な説明】
【００１６】
【図１】この発明実施例１の斜視図である。
【図２】容器の段ボール箱への収納状態を示す平面図である。
【図３】この発明実施例２の一部を省略した斜視図である。
【図４】この発明実施例３の一部を省略した斜視図である。
【符号の説明】
【００１７】
１    容器
２    果実収納用凹部
３    フランジ
４    指掛け用凹部
５    段ボール箱
６    側壁
【図１】
2005162297.tif 000003
【図２】
2005162297.tif 000004
【図３】
2005162297.tif 000005
【図４】
2005162297.tif 000006
(57)【要約】【課題】古新聞の梱包作業を簡単にするために、市販の球状の荷造りひもをそのまま使用出来る新聞ラックを提供する。【解決手段】柱（１）は４本とし、柱の幅は折りたたんだ新聞紙が外へ出ないよう引っかかる程度で、かつ柱と柱の間の空間は市販の球状ビニールひもが通るだけの広さを確保し、柱の下部に、収納した新聞紙をその中に積んでも底が抜けないように引っかかる部分（２）を付ける。４本の柱は強度を上げるため、上部で連結させ（３）、収納した新聞の引っかかる部分（２）の下に、市販の球状ビニールひもが通るだけの空間を確保出来るように、脚（４）を柱ごとに計４本付ける。脚は強度が弱ければ連結するようにする（５）。【選択図】図２
2005162325.tif 000002
【特許請求の範囲】
【請求項１】
新聞ラックとして平時は古新聞を収納出来、取りだしの際はどの方向からもそのまま通常の市販の球状の荷造りひもを切らずに簡単に梱包することが出来る構造。
【請求項２】
新聞ラックの構造上強度に問題があるため、脚を結合することで強化する。
【発明の詳細な説明】
【発明の詳細な説明】
【技術分野】
【０００１】本発明は、古新聞を持ち上げることなく、どの方向からでも１本の荷造りひもを周囲にまわすことによって簡単に古新聞の梱包が出来、取りだし・運搬をしやすくしたものである。この際、荷作りひもは市販の球状のものをそのまま切らずに周囲にまわせるよう、ひものまわる部分の全方面に大きな空間を取っている。
【背景技術】
【０００２】従来は、荷作りひもを縦横各１本つかうものか、または１本のひもを使うものの場合でも市販の球状の荷造りひもはまわせないものしかなかった。
【発明が解決しようとする課題】
【０００３】市販の球状の荷造りひもをそのまままわせない構造の新聞ラックでは、ひもをある程度の長さに切ってからまわすことになるためひもの無駄使いが起きやすかった。また、縦横各１本のひもを使って梱包した場合、梱包物の運搬時の強度が弱く、荷崩れしやすかった。本発明は、この課題を解決するためになされたものである。
【課題を解決するための手段】
【０００４】市販の球状の荷造りひもを新聞を収納した状態でまわすことも出来るようにするため、従来の新聞ラックより壁面と下部に大きな空間を取っている。また、構造上強度が弱いため、脚の結合によって強度を上げる。
【発明を実施するための最良の形態】
【０００５】以下、本発明の実施の形態について説明する。
（イ）．柱（１）は４本とし、柱の幅は折りたたんだ新聞紙が外へ出ないよう引っかかる程度で、かつ柱と柱の間の空間は市販の球状の荷造りひもが通るだけの広さを確保する。
（ロ）．梱包後、取りだし時に柱・枠に梱包が引っかかる場合もあることから、柱間の幅は折りたたんだ新聞紙の辺の長さよりやや余裕を持たせる。
（ハ）．柱の下部に、収納した新聞紙をその中に積んでも底が抜けないように引っかかる部分（２）を付ける。
（ニ）．４本の柱は強度を上げるため、上部で連結させる（３）。
（ホ）．収納した新聞の引っかかる部分（２）の下に、市販の球状の荷造りひもが通るだけの空間を確保出来るように、脚（４）を柱ごとに計４本付ける。脚は強度が弱ければ連結するようにする（５）。
【発明の効果】
【０００６】市販の球状の荷造りひもを切らずにまわすことでひもの無駄使いがなくなり環境にもよく、強度のある梱包を作ることが出来る。労力をかけず誰でも簡単に梱包出来る。
【図面の簡単な説明】
【図１】本発明を斜め上から見た状態。脚を４本独立させた場合。
【図２】本発明を斜め上から見た状態。強度を上げるため、脚を４本結合させた場合。
【符号の説明】
（１）新聞ラックの柱部分。
（２）新聞の引っかかる部分。
（３）強度を上げるための柱の連結部分。
（４）新聞ラックの脚部分。
（５）新聞ラックの脚部分を連結することで強度を補強したもの。
【図１】
2005162325.tif 000003
【図２】
2005162325.tif 000004
(57)【要約】      （修正有）【課題】液体内容物の漏れの抑制と容器外壁に沿う液体内容物の漏れによる不快感の解消、後処理の煩雑さを解消した伸縮注入口の提供。【解決手段】詰め替え用容器注ぎ口に伸縮可能な二重管２を設け注ぎ口長さを調節することが可能となることにより，容器本体１が障害とならず詰め替え用容器注ぎ口と通常使用容器注ぎ口とを直接挿入させることが可能となり，容器外への飛散および容器外壁に沿う液体内容物の漏れを防止できる。【選択図】図１
2005162324.tif 000002
【特許請求の範囲】
【請求項１】
液体内容物を容器から他の容器に移すための注ぎ口で，注ぎ口を自在に伸縮が可能となるようプラスチック製袋状容器の注ぎ口に伸縮可能な二重管部分を設けることを特徴とするプラスチック製袋状容器。
【発明の詳細な説明】
【技術分野】
【０００１】  本発明はプラスチック製袋状容器から液体内容物を他の容器に移し使用すための注ぎ口に関するものである。
【背景技術】
【０００２】  液体を詰める容器には紙製，金属製，ガラス製およびプラスチック製のものがある。環境保全の観点から資源リサイクル，省資源化の循環型社会への移行が急務である。詰め替え用簡易包装の容器に詰められた製品を通常使用容器へ移し使用することが一般化している。肉厚を薄くしたプラスチック製筒状容器や周囲を接着したプラスチック製袋状容器のものが用いられている。液体内容物の保存，輸送中における内容物の漏れを防止するため，詰め替え用プラスチック製筒状容器の流出口はネジ蓋であり，詰め替え用プラスチック製袋状容器の流出口は角部を指定したものまたは流出口を通常使用容器へ移し易くするためデザイン化したものがある。プラスチック製袋状容器では流出口の部分にあらかじめ切り込み等を入れ，その部分を切ることにより液体内容物を容器外に流出させるようにしてある。【０００３】  詰め替え用のプラスチック製容器では流出口の径を小さくすることにより液体内容物の通常使用容器への移行を容易にしている。詰め替え用のプラスチック製袋状容器では注ぎ口にあたる部分の断面積が小さくなるように角部を指定したり，角部以外の部位でも同様に注ぎ口にあたる部分の断面積が小さくなるように成形することにより液体内容物の通常使用容器への移行を容易にしている。また，液体内容物を移す効率を上げるためおよび容易にするため注ぎ口にあたる部分に外径５ｍｍから１０ｍｍ程度の短い管を装着しているものおよび管状になるように容器のプラスチックフィルムを成形または注ぎ口にあたる部分に間隙を作るためのプラスチック製部品を設け，そのプラスチック製部品を組立てることにより，間隙を作り内容物の移動効率の改善および容易性を図っている。
【発明の開示】
【発明が解決しようとする課題】
【０００４】  液体内容物を安全かつ容易に他の容器へ移し使用する場合液体内容物の充填率が高い，すなわち満杯状態で他の容器へ移すため流出させる場合注入角度が確保できなく注ぎ口の外壁に沿って漏れることがある。また，注ぎ口から容器内への空気の移動が液体内容物により障害となり注ぎ口からの液体の流出に不連続が発現し，その結果液体内容物が容器外への飛散や漏れの原因となることがある。
【特許文献１】特許公開２００３−１６０１５０号
【課題を解決するための手段】
【０００５】  注ぎ口の長さを調節することが可能となることにより，容器本体が障害とならず他の容器の注ぎ口に直接接触または挿入させ内容物を移すことができ，容器外壁に沿う内容物の漏れを防止できる。
【発明の効果】
【０００６】  注ぎ口の長さを長くすることで詰め替え用のプラスチック製袋状容器注ぎ口と通常使用容器の注ぎ口とを直接接触または挿入させることが可能となり，注ぎ口の外壁に沿って漏れたり，脈流による液体内容物の飛散を防止できる。
【発明を実施するための最良の形態】
【０００７】  詰め替え用のプラスチック製袋状容器の注ぎ口に伸縮可能となるように二重管を接着，注ぎ口の長さを調節し，液体内容物を流出させる場合詰め替え用のプラスチック製袋状容器注ぎ口を通常使用容器の注ぎ口に直接接触または挿入させることが可能となり，通常使用容器注ぎ口の外壁に沿って漏れたり，通常使用容器外への液体内容物の飛散を防止できる。
【実施例１】
【０００８】  詰め替え用のプラスチック製袋状容器の注ぎ口に伸縮可能となるように二重管を接着，注ぎ口の長さを長くすることより，詰め替え用のプラスチック製袋状容器注ぎ口と通常使用容器の注ぎ口とを直接挿入させることが可能となり，通常使用容器注ぎ口の外壁に沿って漏れたり，通常使用容器外への液体内容物の飛散を気にすることなく液体内容物の移動が可能となった。
【産業上の利用可能性】
【０００９】  詰め替え用のプラスチック製袋状容器注ぎ口に伸縮可能二重管容器を設けることにより，液体内容物の漏れの抑制と容器外壁に沿う液体内容物の漏れによる不快感の解消，後処理の煩雑さの解消となる。
【図面の簡単な説明】
【００１０】
【図１】プラスチック製容器の注ぎ口部に伸縮可能な二重管を接着した断面図である。（実施例１）
【符号の説明】
【００１１】  １  詰め替え用のプラスチック製袋状容器本体
２  伸縮可能な二重管
３  伸縮可能な二重管とプラスチック製袋状容器本体の接着部
４  袋状容器にするための接着部
５  伸縮可能な二重管の内管抜け止め
【図１】
2005162324.tif 000003
(57)【要約】      （修正有）【課題】折紙の要領で箱型を折る場合、順序を追って折ることによって余計な折線がついてしまう。また、ある程度強度をもった用紙となると、折り辛く、力の要る作業となる。これらの作業の軽減をはかるためのかご型紙皿作成用折紙を提供する。【解決手段】一番簡単な方法で平面的に箱型を折ることができるように、折筋をつけた。また、一枚の紙を無駄にしないようにかご型にするために手提げ部分を製図し、切り込みを入れ、又切取線をつけた。箱型部分には、手提げ部分を接着剤なしで取付けられるよう、三本の切り込みを入れた。これで、鋏も、接着剤も使用せずに、何時でも、何処ででも、誰にでも、簡単にかご型紙皿が作成できる。【選択図】図３
2005162316.tif 000002
【特許請求の範囲】
【請求項１】
（１）用紙に予め折筋をつけて，かご型紙皿を作成し易くしたかご型紙皿作成用折紙
（２）三本の切り込みを入れることによって接着剤を使用するよりもかえって丈夫に手提げ部分を装着することができるようにしたかご型紙皿作成用折紙
（３）一枚の紙から，手提げ部分と箱型の部分を製図する場合と，手提げ部分は別の色や柄の用紙から製図する場合もあるかご型紙皿作成用折紙
【発明の詳細な説明】
【発明の詳細な説明】
発明の属する技術分野
本発明は，一枚の用紙に折筋，切り込みを入れて，かご型紙皿を簡単に作成できるようにしたもので，用紙の大きさ，色，柄，材質を変えることで目的に合ったかご型紙皿を簡単に作成することができるものである。
従来の技術
従来より，折箱，紙皿の類のものは完成品や組立式のものは市場に沢山出回っているが，本発明のような，紙皿としてテーブルを飾り，またその後はそのまま持ち帰り可能となる，簡単に安価で作成できるかご型紙皿はなかった。
発明の実態の形態
（１）本発明は，予め付けた用紙の折筋に沿って，平面的に折るだけで箱型紙皿ができるというもので，一枚の用紙から手提げ部分を製図し（図１（イ）−Ａ），折上がった図２Ｂの切り込み部分にその手提げ部分ＡをＢの１，３，２の順序で差し込むだけで，一枚の用紙を無駄無く，接着剤も使用することなく綺麗に利用して，かご型紙皿を作成するというものである。
（２）本発明は，一枚の用紙からかごの手提げ部分と箱型の部分を製図するが，１枚全てを用いて（図１−（ロ））箱型にし，手提げ部分はまとめて製図（図１−（ハ））もすることができる。
（３）本発明は，使用する用紙の大きさ，例えば，日本工業規格Ｂ列５番や，Ａ４，Ｂ４等でそれぞれ異なった大きさのかご型紙皿作成用折紙を作成する。
またＣの折り返し部分の長さを調節することによって，雰囲気の違うかご型紙皿となる等，目的に合わせた使用が可能となる。
発明の効果
折紙の要領で箱型に折る場合，余計な折り線がついてしまうことや，ある程度強度を持った厚みのある紙を用いるため一枚折るだけでも時間がかかり，骨のおれる作業となる。
その作業の軽減をはかるために，予め折筋をまた切り込みをつけるというもので，一枚の紙を切り捨てることなく，接着剤を使用することもなく簡単にかご型紙皿を作成することができる折紙となる。
幼稚園や保育園においての行事や，家庭でのちょっとした子供達の誕生会等でのテーブルを飾るのは，やはりお菓子やお花など，いろんなものを入れる容器ではないかと思う。
パーティのおわりに必ず持ち帰れる，一人ひとりに分けられたおみやげとなるのである。気軽に持ち帰りできるところに，今までの紙皿にはなかった特徴がある。
今回このような出願になったのも，かつて幼稚園教師時代に先生方の仕事の大変さを痛感したこと，また，予め折筋がついていれば幼児と一緒に製作することができ，行事の準備段階から教育効果が期待できるので一石二鳥ともなる。
また，若い女性達から「とても可愛い」と評判になり，結婚披露宴のケーキ皿としてレースペーパーを敷いて使用されることになった。結婚式のウエデイングケーキは，料理でお腹が一杯になり，そのまま後ろ髪をひかれる思いで残して帰るという場面を過去に何度も経験している。そんな場面にこのかご型紙皿は活躍する。いろんな色や柄などを用いることによって，その場その場にあったかご型紙皿を作成することができる。しかも仰々しくなく，可愛い存在感でテーブルを飾ってくれるものと確信する
【図面の簡単な説明】
【図１】−（イ），（ロ），（ハ）本発明の平面図
【図２】  平面折上がり図
【図３】  本発明使用の完成斜視図
【図１】
2005162316.tif 000003
【図２】
2005162316.tif 000004
【図３】
2005162316.tif 000005
(57)【要約】【課題】  包装体に収められている際にロックレバー４がロック位置に移動することを防ぐ。【解決手段】  包装用アダプタ５の一部を取付用アダプタ１のロックレバー４に近接させ、ロックレバー４がロック位置に移動しないよう障壁として設けた。障壁を設けることで、ロックレバー４に不慮の力が加わることでの移動を阻止し、また照明器具本体を取り付ける際にも、取付用アダプタ１の嵌合片２がスライドする状態になっているため、本体取り付け作業が容易になる。【選択図】  図１
2005162317.tif 000002
【特許請求の範囲】
【請求項１】
六面体状を呈しその一方に開閉自在な開口を有する包装箱を備え、前記開口から挿入され前記包装箱の底面板上に載置される主仕切り板を備え、前記主仕切り板における係合孔の個所に係合される包装用アダプタを備え、前記主仕切り板の板面上に搭載されかつ前記包装用アダプタによって横ずれが制限される照明器具本体を備え、
前記照明器具本体を天井面へ着脱自在に装着するための取付用アダプタを備え、前記取付用アダプタは手で操作するためのスライド可能な一対の摘み片と前記スライドに伴なって進退し前記器具本体と着脱自在に嵌合する一対の嵌合片を具備し、前記取付用アダプタは前記スライドを阻止することの可能なロックレバーを具備し、
前記取付用アダプタを前記包装用アダプタの中央上部に配置し、前記一対の摘み片が前記スライドによって前記包装用アダプタと着脱自在に係合し、
前記係合状態では前記包装用アダプタの一部が前記ロックレバーに近接し、該近接により前記ロックレバーが前記スライドを阻止するロック位置へ移動することを防止したことを特徴とする照明器具包装体。
【発明の詳細な説明】
【技術分野】
【０００１】  本発明は、照明器具の包装体に関する。
【背景技術】
【０００２】  従来技術の照明器具包装体は、取付用アダプタの一対の嵌合片を手でスライド操作し、一対の摘み片を包装用アダプタの中央上部にスライドにより着脱自在に係合していた。【０００３】  しかし、取付用アダプタには、照明器具本体を天井面に取り付けた後に嵌合片のスライドを阻止するためのロックレバーが設けられており、包装体に収められている状態で、不慮の力が加わるとそのロックレバーがスライドを阻止するロック位置に移動してしまい嵌合片及び摘み片がスライドせず、包装用アダプタから取りだせないことがある。
【発明の開示】
【発明が解決しようとする課題】
【０００４】  本発明の目的は、包装体に収められている際にロックレバーがロック位置に移動することを防ぐことにある。
【課題を解決するための手段】
【０００５】  本発明においては、包装用アダプタの一部を取付用アダプタのロックレバーに近接させ、ロックレバーがロック位置に移動しないよう障壁として設けた。
【発明の効果】
【０００６】  本発明は、障壁を設けることで、ロックレバーに不慮の力が加わることでの移動を阻止し、また、照明器具本体を取り付ける際にも、取付用アダプタの嵌合片がスライドする状態になっているため、本体取り付け作業が容易になる。
【発明を実施するための最良の形態】
【０００７】  図１における取付用アダプタ１は、照明器具本体を天井に取り付けるための装置であり、前記アダプタ１外周に照明器具本体を保持するためのスライド可動する一対の嵌合片２が設けられ、前記取付アダプタ１中央付近にスライド可動する一対の摘み片３を設けられている。【０００８】  また、前記摘み片３近傍には、前記嵌合片２と前記摘み片３のスライド可動を阻止するロックレバー４が配置される。
包装用アダプタ５は、プラスチック製の円錐台形状を成し、中央上部に取付用アダプタを係合するための一対の係合爪６と支持棒７を設けている。
図２、図３に前記取付用アダプタ１のスライド可動について説明する。通常状態では、図２に示す通り、嵌合片２は、前記本体取付用アダプタ１の外周に配置されており、摘み片３は、中央に配置している。【０００９】  この前記嵌合片２と摘み片３は連動しており、第３図に示すように摘み片３を外側に手の操作でスライド可動させると嵌合片２は前記取付用アダプタ１内に収納され、手を離すと元の位置に配置される。また、反対に嵌合片２を手の操作で前記取付用アダプタ１内に収納するようにスライド可動させると摘み片３は、外側にスライド可動する。【００１０】  この、スライド可動を阻止するものがロックレバー４で上方に配置しているときは、ロックが解除され、前記嵌合片３及び前記摘み片４はスライド可動ができる状態であるが、下方に手の操作でスライド可動することにより、前記嵌合片３及び前記摘み片４のスライド可動ができない状態になる。【００１１】  以上、図２、図３で説明したスライド可動を利用して、前記包装用アダプタ５に係合させたものを第４図で説明する。
前記取付用アダプタ１は、前記嵌合片２を手の操作によるスライド可動に連動して前記摘み片４が外側に可動し、前記取付用アダプタ１の係合爪６を乗り越える。その後、手の操作をやめると前記嵌合片２は、元の位置に配置され，連動して前記摘み片４も中央に戻るように配置され、前記取付用アダプタ１は、前記包装用アダプタ５と係合される。【００１２】  これにより、手の操作により前記嵌合片２をスライド可動させないと係合は解除されず、前記取付用アダプタ１を取り出すことができない。
また、前記包装用アダプタ５の係合爪６は、前記摘み片３の上部に配し、さらに、前記ロックレバー４の下方に位置し、なおかつ、前記ロックレバー４のロック位置にスライド移動できない配置とした。
このことにより、前記取付用アダプタ１を取り出す際に前記嵌合片２がスライド可動できない状態を防ぐことができる。
【図面の簡単な説明】
【００１３】
【図１】本発明の包装用アダプタとそれに係合する取付用アダプタの斜視図。
【図２】取付用アダプタの動作説明図。
【図３】同様な別の動作説明図。
【図４】包装用アダプタと取付用アダプタの係合図。
【図５】本発明を採用した照明器具包装体の全体図。
【符号の説明】
【００１４】１：取付用アダプタ
２：嵌合片
３：摘み片
４：ロックレバー
５：包装用アダプタ
６：係合爪
【図１】
2005162317.tif 000003
【図２】
2005162317.tif 000004
【図３】
2005162317.tif 000005
【図４】
2005162317.tif 000006
【図５】
2005162317.tif 000007
(57)【要約】【課題】従来、皮膚に良いと言われる自然食品、又は、そのエキスは、腐敗、又は変質しやすく、添加物が多く含まれていた為、かえって皮膚疾患を引き起こす要因になっていた。添加物を含まなくても、腐敗、変質させずに、自然食品を食品としてではなく、皮膚ケアー剤、及び、入浴剤とし、皮膚疾患があっても利用でき、効果のあるものをここに提供する。【解決手段】皮膚に良いと言われる自然食品で、添加物を含まなくても、腐敗、変質しないよう考え、効果の現れるものとするため、自然塩、はちみつ、きなこを練り合わせたものを、ベースとした。【特許請求の範囲】
【請求項１】
自然食品の塩、はちみつ、大豆食品を合わせたものをベースとする入浴剤、及び皮膚ケアー剤とその製法
【発明の詳細な説明】
【発明の詳細な説明】
この発明は、添加物の入っていない自然食品の塩、はちみつ、大豆食品を練り合わせたものをベースとする、全身皮膚ケアー剤、及び入浴剤である。
従来、食品は、食品として利用されていたが、現在は、美肌効果があると言う食品や、そのエキスなどが、皮膚ケアー剤として利用されている。そこには、保存料や香辛料などの添加物が多く含まれていることがあり、その添加物で、アレルギーや掻痒感、皮膚に異常を感じる人たちが少なくない。この発明は、自然食品のみを使用し、その添加物を含まなくても、高温湿を避ければ、半永久的に変質することなく、アレルギーや皮膚疾患があっても美肌効果があり、皮膚の自己免疫力を高め、自然治癒力を強化し、口に入っても害はなく、色も香りも良いものである。この発明構造は、容積、塩１に対し、はちみつ１、１を練り混ぜ、更に、練り混ぜたそれの半分量のきなこを練り混ぜたものである。一般家庭の浴槽で、入浴剤として使用する場合は、３５℃〜５０℃のお湯１５０Ｌに対し、発明品５０ｇ以上を、皮膚の状態に合わせて、例えば、乾燥のひどい時には多めに、投入かき混ぜる。効果を高めたい場合は、濡らした皮膚に直接塗り、５〜１０分放置し、軽く洗い流す。直接塗ることで、鎮痒効果もある。発明品を精製水で薄め、化粧品として利用もできる。これに、殺菌効果のある緑茶、及び抹茶を、使用する直前に茶さじ一杯程度を混ぜることで、発疹、掻痒、皮膚疾患の治癒促進にもつながる。使用する直前に混ぜるのは、変質を防ぐ為である。シルクパウダーを混ぜれば、美白効果が更にプラスされる。これら全て混ぜても、乾燥され、腐敗しにくい物に殺菌効果のある塩を混ぜているため、添加物を含まなくても、冷蔵保存などにより、夏場の高温多湿を避けられれば、腐敗することなく、変質することなく、効果は変わらず得られる。ミネラルを多く含む自然塩は、除菌、殺菌、血行促進、保湿、自然治癒力の強化、自己免疫力の強化、老廃物の除去に優れ、はちみつは、ＵＶをカットし、皮膚に潤いを与え、きなこは、美肌、美白に良いとされる良質蛋白を含む。これら全てを総合し、この発明品は、美肌、美白、保湿、鎮痒、除菌、血行促進、ＵＶカット、老化防止、若返り、疲労回復、乾燥肌の改善と鎮痒、皮膚老廃物の除去、皮膚自己免疫力の強化、皮膚自然治癒力の強化、アレルギー、水虫、疥癬などの皮膚疾患の改善と鎮痒、皮膚疾患の治癒促進、角質の除去と保湿などに効果がある。しっとりなのに、さらさら、さらに美白を目指すには、元々は、自然塩だけではしっとり感に欠け、はちみつを加えるることでしっとりし、さらに、きなこで美白、と考えて作ったものであるが、本発明は、自然の未知なる力の総合的効果を利用したものとなり、結果、アレルギーや、皮膚疾患があっても、それらを改善の方向に向かわせた。全てが、学術的に証明されるかどうかは、今後の課題となるべきところであるが、数種類の自然食品を、食品としてではなく入浴剤、及び、皮膚ケアー剤として食品の形のまま混ぜて利用し、添加物を含まなくても変質しないものを考えたのは、当発明者であり、美肌効果、及び皮膚疾患の症状改善に効果があったのは、個人的多数実験の成果である。